(57)【要約】【課題】ライブビュー表示が可能な撮像装置において、レンズキャップの装着の有無を容易に確認することが可能となる撮像装置を提供する。【解決手段】レライブビュー表示が可能な撮像装置において、  通常撮影モードと、ライブビュー撮影モードとを切り換える撮影モード切り換え手段と、  撮像装置の状態が電源オフ状態、スリープ状態または画像再生状態から撮影可能状態に切り換わった際に、撮影モードを強制的にライブビュー撮影モードに切り換える第１の制御手段と、  第１の制御手段によって、ライブビュー撮影モードに切り換えられているときに、被写体の照度を検出する照度検出手段と、  照度検出手段によって検出した前記被写体の照度が所定値以上である場合には、ライブビュー撮影モードから通常撮影モードに切り換える第２の制御手段とを有する。【選択図】            図３
2011129986.tif 000002
【特許請求の範囲】
【請求項１】
レンズにレンズキャップを装着可能であるとともに、前記レンズによって撮像素子に結像した被写体像をモニタに出力するライブビュー表示の可能な撮像装置において、
光学ファインダによって被写体を確認する通常撮影モードと、前記レンズによって撮像素子に結像した被写体像をモニタに出力することで前記被写体を確認するライブビュー撮影モードとを切り換える撮影モード切り換え手段と、
前記撮像装置の状態が電源オフ状態、スリープ状態または画像再生状態から撮影可能状態に切り換わった際に、前記撮影モードを強制的にライブビュー撮影モードに切り換える第１の制御手段と、
前記第１の制御手段によって、前記ライブビュー撮影モードに切り換えられているときに、前記被写体の照度を検出する照度検出手段と、
前記照度検出手段によって検出した前記被写体の照度が所定値以上である場合には、前記ライブビュー撮影モードから前記通常撮影モードに切り換える第２の制御手段と、
を有することを特徴とする撮像装置。
【請求項２】
前記照度検出手段による前記被写体の照度が所定値より小さい場合には、前記レンズキャップが装着されていることを警告する警告手段を有することを特徴とする請求項１に記載の撮像装置。
【請求項３】
前記照度検出手段による前記被写体の照度が所定値より小さい場合には、前記撮像装置を前記スリープ状態にする第３の制御手段を有することを特徴とする請求項１または請求項２に記載の撮像装置。
【請求項４】
前記照度検出手段による前記被写体の照度が所定値より小さい場合には、前記レンズキャップが装着されていることを警告する警告手段と、
前記警告手段による警告を行った後、前記被写体の照度が所定値より小さい状態が所定時間継続する場合には、前記撮像装置を前記スリープ状態にする第３の制御手段とを有することを特徴とする請求項１に記載の撮像装置。
【請求項５】
前記照度検出手段は前記撮像素子から得られる映像信号から前記被写体の照度を検出することを特徴とする請求項１ないし３のいずれか１項に記載の撮像装置。
【請求項６】
使用者が前記光学ファインダに接眼したか否かを検知する接眼検知手段を有し、前記第２の制御手段は前記照度検出手段によって検出した前記被写体の照度が所定値以上である場合であって、
前記接眼検知手段によって前記光学ファインダへの接眼が検知された場合に、前記ライブビュー撮影モードから前記通常撮影モードに切り換えることを特徴とする請求項１ないし５のいずれか１項に記載の撮像装置。
【発明の詳細な説明】
【技術分野】
【０００１】
本発明は、撮像装置に関し、特に、ライブビュー表示機能（スルー画表示機能、電子ビューファインダ機能）を有する撮像装置に関するものである。
【背景技術】
【０００２】
一般的なデジタルカメラには、撮影レンズを保護するため、レンズに対して着脱可能なレンズキャップが装着されている。しかしながら、従来のデジタルカメラでは、電源が投入され、撮影待機状態になっても、撮影者がレンズキャップ装着の有無を、カメラ前面から確認するか、もしくは、カメラ内のファインダを覗いて、被写体像が見えるかどうかを確認しないと分からなかった。
その際、特に、望遠レンズ等の焦点距離の長いレンズに関しては、非常に確認しづらいものであった。
【０００３】
このようなことから、従来において、例えば特許文献１ではレンズキャップの外し忘れを防止するため、つぎのような電子撮像装置が提案されている。この電子撮像装置では、電源を入れた際にレンズキャップがレンズに装着されているか否かの判断を検知スイッチにより行い、装着されている場合には、撮影モードをスタートさせず、再生モードをスタートさせるように構成されている。
【先行技術文献】
【特許文献】
【０００４】
【特許文献１】特許第３４４５２８６号公報
【発明の概要】
【発明が解決しようとする課題】
【０００５】
しかしながら、上記した従来のものにおいては、つぎのような課題を有している。
特許文献１のものにおいては、レンズキャップの装着の有無の判断のため、検知スイッチ等の新たな部品が必要となり、部品点数が多くなってコストが高くなると共に、美観を損なう恐れがある。さらに、レンズキャップが装着されている場合、撮影モードをスタートさせずに再生モードをスタートさせるように構成されていることから、直ちに撮影することができず、シャッタチャンスを逃してしまう恐れがある。
【０００６】
本発明は、上記課題に鑑み、ライブビュー表示が可能な撮像装置において、レンズキャップの装着の有無を容易に確認することが可能となる撮像装置を提供することを目的とするものである。
【課題を解決するための手段】
【０００７】
本発明は、つぎのように構成した撮像装置を提供するものである。
本発明の撮像装置は、レンズにレンズキャップを装着可能であるとともに、前記レンズによって撮像素子に結像した被写体像をモニタに出力するライブビュー表示の可能な撮像装置において、
光学ファインダによって被写体を確認する通常撮影モードと、前記レンズによって撮像素子に結像した被写体像をモニタに出力することで前記被写体を確認するライブビュー撮影モードとを切り換える撮影モード切り換え手段と、
前記撮像装置の状態が電源オフ状態、スリープ状態または画像再生状態から撮影可能状態に切り換わった際に、前記撮影モードを強制的にライブビュー撮影モードに切り換える第１の制御手段と、
前記第１の制御手段によって、前記ライブビュー撮影モードに切り換えられているときに、前記被写体の照度を検出する照度検出手段と、
前記照度検出手段によって検出した前記被写体の照度が所定値以上である場合には、前記ライブビュー撮影モードから前記通常撮影モードに切り換える第２の制御手段と、を有することを特徴とする。
【発明の効果】
【０００８】
本発明によれば、レンズキャップの装着の有無を容易に確認することが可能となる。
また、本発明によれば、レンズキャップが装着されてない場合に、直ちに撮影することが可能となる。
【図面の簡単な説明】
【０００９】
【図１】本発明の実施例１における一眼レフカメラの外観を示す図。
【図２】本発明の実施例１における一眼レフカメラに内蔵された電気回路の構成を示すブロック図。
【図３】本発明の実施例１における一眼レフカメラの動作を示すフローチャート。
【図４】本発明の実施例２における一眼レフカメラの動作を示すフローチャート。
【発明を実施するための形態】
【００１０】
本発明を実施するための形態を、以下の実施例により説明する。
【実施例】
【００１１】
以下に、本発明の実施例における撮像装置の構成例について説明する。
［実施例１］
図１を用いて、本発明の撮像装置の構成を適用した実施例１におけるデジタル一眼レフカメラの概略構成について説明する。
図１において、１はカメラ本体（撮像装置本体）である。
カメラ本体１の上部のグリップ側には、撮影開始の起動スイッチとしてのシャッタボタン７と、撮影時の動作モードに応じてシャッタスピードやレンズ絞り値を設定するためのメイン操作ダイヤル８と、撮影系の上面動作モード設定ボタン１０が配置されている。
これらの操作部材の操作結果の一部は、ＬＣＤ表示パネル９に表示される。
シャッタボタン７は、第１ストロークでＳＷ１（後述の７ａ）がＯＮし、第２ストロークにてＳＷ２（後述の７ｂ）がＯＮする構成となっている。
また、上面動作モード設定ボタン１０は、シャッタボタン７の１回の押込みで連写になるか１コマのみの撮影となるかの設定や、セルフ撮影モードの設定などを行うものであり、ＬＣＤ表示パネル９にその設定状況が表示されるようになっている。
カメラ上部には、フラッシュ取付け用のシュー溝１２とフラッシュ接点１３と撮影モード設定ダイヤル１４が配置されている。
【００１２】
カメラ本体１には光学ファインダ１８が設けられ、光学ファインダ１８の下には接眼検知センサー８０５が設けられている。
接眼検知センサー８０５は、撮影者が光学ファインダ１８を覗いているか否かを検知する。
更に、背面中央付近には画像表示可能な背面液晶モニタ１９が設けられている。背面液晶モニタ１９の横に配置されたサブ操作ダイヤル２０は、メイン操作ダイヤル８の機能の補助的役割を担い、例えばカメラのＡＥモードでは自動露出装置により推定された適正露出値に対する露出補正量を設定するために使用される。あるいは、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定するように使用される。
また、このサブ操作ダイヤル２０は、背面液晶モニタ１９に表示される撮影済み画像の表示選択にも用いられる。
４３はカメラの電源を、オフ状態とオン状態とに切り換えを行い、カメラの動作を起動もしくは停止するためのメインスイッチである。
【００１３】
つぎに、図２のブロック図を用いて、本実施例におけるデジタル一眼レフカメラの主要な電気的構成について説明する。
なお、図１と共通する部分は同じ記号で示している。
２００は被写体の光学像を結像する撮影レンズであり、８０１はこの撮影レンズ２００に装着可能なレンズキャップである。
１００はカメラ本体に内蔵されたマイクロコンピュータの中央処理装置（以下、ＭＰＵという）である。
ＭＰＵ１００は、カメラの動作制御を司るものであり、各要素に対して様々な処理や指示を実行する。
１００ａはＭＰＵ１００に内蔵されたＥＥＰＲＯＭであり、時刻計測回路１０９の計時情報やその他の情報を記憶可能である。
ＭＰＵ１００には、ミラー駆動回路１０１、焦点検出回路１０２、シャッタ駆動回路１０３、映像信号処理回路１０４、スイッチセンス回路１０５、測光回路１０６が接続されている。
また、ＬＣＤ駆動回路１０７、バッテリチェック回路１０８、時刻計測回路１０９、電源供給回路１１０についても接続されている。
これらの回路はＭＰＵの制御により動作するものである。
また、ＭＰＵ１００は、撮影レンズユニット内に配置されたレンズ制御回路２０１と、マウント接点２１を介して通信を行う。
マウント接点２１は撮影レンズユニットが接続されるとＭＰＵ１００へ信号を送信する機能も備えている。
これにより、レンズ制御回路２０１は、ＭＰＵ１００との間で通信を行い、撮影レンズユニット内の撮影レンズ２００および絞り２０４の駆動を、レンズ駆動回路２０２および絞り駆動回路２０３を介して行うことが可能となる。
なお、本実施の形態では便宜上１枚の撮影レンズで示しているが、実際は多数のレンズ群により構成されている。
【００１４】
レンズ駆動回路２０２は、例えばステッピングモータによって構成され、レンズ制御回路２０１の制御によって撮影レンズ２００内のフォーカスレンズ位置を変化させることにより、撮像素子３３に撮影光束の焦点を合わせるように調整する。
２０３は絞り駆動回路であり、たとえばオートアイリスなどによって構成され、レンズ制御回路２０１によって絞り２０４を変化させ、光学的な絞り値を得るように構成されている。
メインミラー６は、撮影レンズ２００を通過する撮影光束をペンタプリズム２２へ導くとともに、その一部を透過させてサブミラー３０に導く。サブミラー３０は、透過された撮影光束を焦点検出用センサユニット３１へ導く。
ミラー駆動回路１０１は、ミラー６を、光学ファインダにより被写体像を観察可能とする位置と、撮影光束から待避する位置とへ駆動するためのものである。
同時に、サブミラー３０を、焦点検出用センサユニット３１へ撮影光束を導く位置と、撮影光束から待避する位置とへ駆動する。具体的には、たとえばＤＣモータとギヤトレインなどから構成される。
【００１５】
３１は不図示である結像面近傍に配置されたフィールドレンズ、反射ミラー及び、２次結像レンズ、絞り、複数のＣＣＤから成るラインセンサ等から構成されている周知の位相差方式の焦点検出センサユニットである。
焦点検出センサユニット３１から出力された信号は、焦点検出回路１０２へ供給され、被写体像信号に換算された後ＭＰＵ１００へ送信される。ＭＰＵ１００は被写体像信号に基づいて、位相差検出法による焦点検出演算を行う。
そして、デフォーカス量およびデフォーカス方向を求め、これに基づき、レンズ制御回路２０１およびレンズ駆動回路２０２を介して、撮影レンズ２００内のフォーカスレンズを合焦位置まで駆動する。
２２はペンタプリズムであり、メインミラー６によって反射された撮影光束を正立正像に変換反射する光学部材である。
使用者は、ファインダ光学系を介して、光学ファインダ１８から被写体像を観察することができる。
ペンタプリズム２２は、撮影光束の一部を測光センサ１３７にも導く。
測光回路１０６は、測光センサ１３７の出力を得て、観察面上の各エリアの輝度信号に変換し、ＭＰＵ１００に出力する。ＭＰＵ１００は、得られる輝度信号から露出値を推定する。
３２は機械フォーカルプレーンシャッタであり、ユーザが光学ファインダにより被写体像を観察している時には撮影光束を遮る。
また、撮像時にはレリーズ信号に応じて、不図示の先羽根群と後羽根群の走行する時間差により所望の露光時間を得るように構成されている。
フォーカルプレーンシャッタ３２は、ＭＰＵ１００の指令を受けたシャッタ駆動回路１０３によって制御される。
【００１６】
つぎに、本実施例における撮影レンズ２００（レンズ手段）により結像された被写体の光学像を光電変換し、その信号を出力する構成（撮像手段）について説明する。
３３は撮像素子で、撮像デバイスであるＣＭＯＳが用いられる。撮像デバイスには、ＣＣＤ型、ＣＭＯＳ型およびＣＩＤ型など様々な形態があり、何れの形態の撮像デバイスを採用してもよい。
３４はクランプ／ＣＤＳ（相関二重サンプリング）回路であり、Ａ／Ｄ変換する前の基本的なアナログ処理を行うとともに、クランプレベルの変更も可能である。
３５はＡＧＣ回路（自動利得調整装置）であり、撮像素子３３から入力された映像信号をＡ／Ｄ変換する前に最適なレベルで増幅すべく利得（ゲイン）が制御されるとともに、増幅する基本レベルの変更も可能である。
３６は、撮像素子３３からのアナログ信号出力をデジタル信号（以下、画像データとする）に変換するＡ／Ｄ変換器である。
８０３はタイミング発生回路であり、撮像素子３３、Ａ／Ｄ変換器３６、映像信号処理回路１０４にクロック信号や制御信号を供給する。
１０４は、映像信号処理回路であり、この映像信号処理回路１０４はマイクロコンピュータ１００により制御され、撮像素子３３からＡＧＣ回路３５を介してＡ／Ｄ変換されたデジタルのカラー映像信号を得るものである。
撮像光の明るさ及び、この撮像光の３原色の赤色信号Ｒ、緑色信号Ｇ及び青色信号Ｂの色情報を得ることができ、Ａ／Ｄ変換器３６からの画像データあるいはメモリコントローラー３８からの画像データに対して、所定の画素補間処理や色変換処理を行う。
また、映像信号処理回路１０４においては、必要に応じて画像データを用いて所定の演算処理を行う。
そして、得られた演算結果に基づいてマイクロコンピュータ１００が焦点駆動回路１０２、測光センサ１３７に対して制御を行うＴＴＬ（スルー・ザ・レンズ）方式のＡＦ（オートフォーカス）処理、ＡＥ（自動露出制御）処理、ＥＦ（ストロボ調光）処理を行う。
照度検出手段８０４は、撮像素子３３から入力された映像信号から、被写体の照度を検出し、その照度を基準値と比較する。
【００１７】
８０２は文字発生手段であり、警告用の文字を発生させ、カメラ背面部に配置された外部表示手段である背面液晶モニタ（カラー液晶モニタ）１９に表示する。
モリコントローラ３８は、Ａ／Ｄ変換器３６、タイミング発生回路８０３、映像信号処理回路１０４、バッファメモリ３７、映像信号処理回路１０４、メモリ３９を制御する。
Ａ／Ｄ変換器３６が出力ライブビュー像データは、映像信号処理回路１０４およびメモリコントローラー３８を介して、あるいはメモリコントローラー３８のみを介してバッファメモリ３７あるいはメモリ３９に書き込まれる。
バッファメモリ３７、映像信号処理回路１０４、例えばＴＦＴ・ＬＣＤなどである背面液晶モニタ１９は、画像表示のための処理を行う。
具体的には、バッファメモリ３７に書き込まれた表示用の画像データが、映像信号処理回路１０４を介して背面液晶モニタ１９に出力されて表示される。
背面液晶モニタ１９を用いて撮像素子３３で撮像した画像データを逐次表示することにより、電子ビューファインダ機能（ライブビュー表示）を実現することが可能である。
【００１８】
メモリ３９は、撮影した静止画像や動画像を格納するための記憶媒体であり、所定枚数の静止画像や所定時間の動画像を格納するのに十分な記憶容量を備えている。
これにより、複数枚の静止画像を連続して撮影する連写撮影の場合にも、高速かつ大容量の画像書き込みをメモリ３９に対して行うことが可能となる。
また、メモリ３９はマイクロコンピュータ１００の作業領域としても使用することが可能である。
１０５はスイッチセンス回路であり、各スイッチの操作状態に応じて入力信号をＭＰＵ１００に送信する。
７ａは、レリーズボタン７の第１ストロークによりオンするスイッチＳＷ１（以下ＳＷ１）である。７ｂは、レリーズボタン７の第２ストロークによりオンするスイッチＳＷ２（以下ＳＷ２）である。
スイッチＳＷ２がオンされると、撮影開始の指示がＭＰＵ１００に送信される。また、メイン操作ダイヤル８、サブ操作ダイヤル２０、撮影モード設定ダイヤル１４、メインスイッチ４３、接眼検知８０５、キャップ検知モード切り換えＳＷ８０６が接続されている。
キャップ検知モード切り換えＳＷ８０６は本発明に係る、キャップ確認モードと通常撮影モードの切り換えを行うスイッチである。
１０７はＬＣＤ駆動回路であり、ＭＰＵ１００の指示に従って、ＬＣＤ表示パネル９やファインダ内液晶表示装置４１を駆動する。
１０８はバッテリチェック回路であり、ＭＰＵ１００からの信号に従って、所定時間バッテリチェックを行い、その検出出力をＭＰＵ１００へ送る。４２は電源部であり、カメラの各要素に対して、必要な電源を供給する。
１０９は時刻計測回路でメインスイッチ４３がＯＦＦされて次にＯＮされるまでの時間や日付を計測し、ＭＰＵ１００からの指令により、計測結果をＭＰＵ１００へ送信することができる。
【００１９】
本実施例では、これらにより例えば、カメラの電源が入れられ、キャップ検知モードに設定されている場合、直ちにライブビュー表示が開始されるように構成することができる。
あるいは、撮影操作手段が操作され、カメラがスリープ状態もしくは画像再生状態から、撮影可能状態に切り換えられ、キャップ検知モードに設定されている場合、直ちにライブビュー表示が開始されるように構成することができる。
そして、このようにライブビュー表示が開始された際に、被写体の照度が閾値以下であるか否かで、レンズキャップの装着の有無を判断する構成を採ることができる。
また、それと共に、カメラ側において被写体の照度からレンズキャップがついていないと判断した場合、所定時間の経過により、直ちにライブビュー表示を終了し、カメラ内の光学ファインダでの撮影が可能となるように構成することができる。あるいは、上記のようにレンズキャップがついていないと判断した場合、所定時間以内に撮影者が撮影操作を行った場合、直ちにライブビュー表示を終了し、カメラ内の光学ファインダでの撮影が可能となるように構成することができる。
これらにより、シャッタチャンスを逃がさずに、撮影することが可能となる。
【００２０】
つぎに、図３のカメラ全体（主としてマイクロコンピュータ１００）の動作を示すフローチャートを用い、本実施例のカメラにおける動作の具体的な一例について説明する。
まず、撮影者がメインスイッチ４３をＯＮになる位置に回転させると、カメラ電源がＯＮし（Ｓ１００１）、または撮影操作手段の操作により、カメラが電源オフ状態、スリープ状態もしくは画像再生状態から、撮影可能状態に切り換えられる（Ｓ１００１）。
そして、ＣＰＵ１００はキャップ検知モード切り換えＳＷ８０６がＯＮされているかどうかの確認をする（Ｓ１００２）。
なお、キャップ検知モード切り換えＳＷ８０６は、本実施例では物理的なスイッチによる状態判別とされているが、例えばＣＰＵ１００に付随したＥＥＰＲＯＭ１００ａに記憶されるパラメータ値に変更するようにしたものであってもよい。また、Ｓ１００２のキャップ確認モードへ変更するステップは、バッテリチェック回路１０８により、電池の残量によって規制するようにしてもよい。
キャップ検知モード切り換えＳＷ８０６がＯＦＦの場合（Ｓ１００２のＮＯ）は、ライブビュー撮影モード切り換えＳＷ８０７を確認し（Ｓ１００３）、ＯＦＦならばキャップ検知モードではない通常撮影モードのシーケンスに移行する（Ｓ１００４）。
この通常撮影モードの処理は従来公知の方法を用いて行うことが出来るため、説明を省略する。
また、ライブビュー撮影モード切替ＳＷ８０７がＯＮの場合（Ｓ１００３のＯＮ）は、ライブビュー撮影モードのシーケンスに移行する（Ｓ１００５）。
このライブビュー撮影モードの処理に関しては、前述した通常撮影モードのファインダを、背面の背面液晶モニタ１９にライブビュー画像を表示する電子ビューファインダとした構成である。この処理は従来公知の方法を用いて行うことがでるものであり、説明を省略する。
【００２１】
これに対して、キャップ検知モード切り換えＳＷ８０６がＯＮの場合（Ｓ１００１のＹＥＳ）、シャッタ駆動回路１０３とミラー駆動回路１０１により、シャッタ３２を開く。
そして、メインミラー６をアップさせ、背面の背面液晶モニタ１９に撮像素子３３で撮像した画像データを逐次表示することにより、ライブビュー表示を行う（Ｓ１００６）。すなわち、撮影モードを強制的にライブビュー撮影モードに切り換える。Ｓ１００６の動作が第１の制御手段に相当する。
そして、照度検出手段８０４により、被写体の照度が閾値以下であるか否かを検出する（Ｓ１００７）。
閾値以下の場合（Ｓ１００７の閾値以下）文字発生手段（８０２）により、背面の背面液晶モニタ１９に警告表示を行う（Ｓ１００８）。この警告表示によりレンズキャップが装着の有無をより一層分かり易くすることが可能となる。
次に、時刻計測回路１０９により、被写体の照度が所定値以下である状態が所定時間継続したか否かを確認する（Ｓ１００９）。
所定時間継続していない場合（Ｓ１００９のＮＯ）Ｓ１００７へ戻る。
所定時間継続した場合（Ｓ１００９のＹＥＳ）、スリープモードへ移行する（Ｓ１０１０）。すなわち、撮像装置をスリープ状態にする。Ｓ１０１０の動作が第３の制御手段に相当する。このように所定時間の継続によりレンズキャップが装着されていると判断された場合にカメラをスリープ状態とすることで、無駄な電力の消費を防ぐことが可能となる。
ここでの所定時間は、撮影者が背面の背面液晶モニタ１９に被写体の画像が映らず、真っ暗な表示、もしくは、警告表示を確認し、レンズキャップを外す動作を完了するまでの１０秒程度が望ましく、また撮影者が所定時間を設定できるようにしてもよい。
【００２２】
一方、被写体の照度が閾値以上の場合（Ｓ１００７の閾値以上）、ライブビュー撮影モード切り換えＳＷを確認する（Ｓ１０１１）。
ライブビュー撮影モード切り換えＳＷがＯＮの場合（Ｓ１０１１のＯＮ）、ライブビュー撮影モードへ移行する（Ｓ１０１２）。
ライブビュー撮影モード切り換えＳＷがＯＦＦの場合（Ｓ１０１１のＯＦＦ）、撮影者が確認操作を行ったか否かを、確認操作判定手段によって判定する（Ｓ１０１３）。
ここで言う確認操作判定手段による判定とは、レリーズボタン７の第１ストロークによりオンするスイッチＳＷ１、上面動作モード設定ボタン１０、メイン操作ダイヤル８、サブ操作ダイヤル２０、撮影モード設定ダイヤル１４、を撮影者が操作したかどうかで判断することを指している。
あるいは、接眼検知８０５により、撮影者が光学ファインダ１８を覗いたかどうかで判断すること、等を指している。
撮影者の確認操作がなかった場合（Ｓ１０１３のＮＯ）、時刻計測回路１０９により所定時間が経過したか否かを確認する（Ｓ１０１４）。
所定時間が経過していない場合（Ｓ１０１４のＮＯ）、Ｓ１００７へ戻り、再度照度検出手段８０４により、被写体の照度を確認する。
所定時間が経過した場合（Ｓ１０１４のＹＥＳ）、シャッタ駆動回路１０３とミラー駆動回路１０１により、シャッタ３２を閉じ、メインミラー６をダウンさせ、ライブビュー表示を終了し（Ｓ１０１５）、通常撮影モードへ移行する（Ｓ１０１６）。すなわち、ライブビュー撮影モードから通常撮影モードに切り換える。Ｓ１０１６の動作が第２の制御手段に相当する。
ここでの所定時間は、撮影者がメインスイッチをＯＮしてからライブビュー表示に被写体像が見える事を確認して（レンズキャップが付いていないことを確認して）、すぐに光学ファインダを覗いて撮影が出来る状態になる１〜３秒程度が望ましく、また撮影者が設定できるようにしてもよい。
これに対して、撮影者の確認操作があった場合（Ｓ１０１３のＹＥＳ）、ライブビュー表示を終了し（Ｓ１０１５）、通常撮影モードへ移行する（Ｓ１０１６）。これにより、所定時間よりもさらに早く、カメラ内の光学ファインダ１８での撮影動作に移行することが可能となる。
【００２３】
［実施例２］
つぎに、実施例２における撮像手段から出力された映像信号のレベルを増幅して出力する信号増幅手段を備えたデジタル一眼レフカメラの構成例について説明する。
なお、撮像装置の基本的な構成は、実施例１と同じであるので省略する。
図４のカメラ全体（主としてマイクロコンピュータ１００）の動作を示すフローチャートを用い、本実施例のカメラの動作について説明する。
まず、撮影者がメインスイッチ４３をＯＮになる位置に回転させると、カメラ電源がＯＮし（Ｓ２００１）、ＣＰＵ１００はキャップ検知モード切り換えＳＷ８０６がＯＮされているかどうかの確認をする（Ｓ２００２）。
なお、キャップ検知モード切り換えＳＷ８０６は、本実施例では物理的なスイッチによる状態判別とされているが、例えば、ＣＰＵ１００に付随したＥＥＰＲＯＭ１００ａに記憶されるパラメータ値にて変更するものであってもよい。
また、Ｓ２００２のキャップ確認モードへ変更するステップは、バッテリチェック回路１０８により、電池の残量によって規制するようにしてもよい。
キャップ検知モード切り換えＳＷ８０６がＯＦＦの場合（Ｓ２００２のＮＯ）は、ライブビュー撮影モード切り換えＳＷ８０７を確認し（Ｓ２００３）、ＯＦＦならばキャップ検知モードではない通常撮影モードのシーケンスに移行する（Ｓ２００４）。
この通常撮影モードの処理は従来公知の方法を用いて行うことが出来るため、説明を省略する。
ライブビュー撮影モード切り換えＳＷ８０７がＯＮの場合（Ｓ２００３のＯＮ）は、ライブビュー撮影モードのシーケンスに移行する（Ｓ２００５）。
このライブビュー撮影モードの処理に関しては、前述した通常撮影モードのファインダを、背面の背面液晶モニタ１９にライブビュー画像を表示する電子ビューファインダとした構成である。
この処理も従来公知の方法を用いて行うことが出来るため、説明を省略する。
【００２４】
これに対して、キャップ検知モード切り換えＳＷ８０６がＯＮの場合（Ｓ２００１のＹＥＳ）、シャッタ駆動回路１０３とミラー駆動回路１０１により、シャッタ３２を開き、メインミラー６をアップさせる。
そして、背面の背面液晶モニタ１９に撮像素子３３で撮像した画像データを逐次表示することにより、ライブビュー表示を行う（Ｓ２００６）。
次に、照度検出手段８０４は被写体の照度が閾値以下であるか否かを検出する（Ｓ２００７）。
閾値以下の場合（Ｓ２００７の閾値以下）撮像素子３３からの映像信号を最適なレベルに増幅し調整するＡＧＣ回路３５の、映像信号を増幅するレベルを所定値上げ（Ｓ２００８）、照度検出手段８０４は照度が所定値以上変化したかどうかを検出する（Ｓ２００９）。
所定値以下の変化だった場合（Ｓ２００９の所定値以下）文字発生手段（８０２）により、背面の背面液晶モニタ１９に警告表示を行う（Ｓ２０１０）。
次に、時刻計測回路１０９により、所定時間が経過したか否かを確認する（Ｓ２０１１）。
所定時間が経過していない場合（Ｓ２０１１のＮＯ）Ｓ２００８へ戻る。
所定時間が経過した場合（Ｓ２０１１のＹＥＳ）、スリープモードへ移行する（Ｓ２０１２）。
ここでの所定時間は、撮影者が背面の背面液晶モニタ１９に被写体の画像が映らず、真っ暗な表示、もしくは、警告表示を確認し、レンズキャップを外す動作を完了するまでの１０秒程度が望ましく、また撮影者が所定時間を設定できるようにしてもよい。
【００２５】
一方、照度が所定値以上変化した場合（Ｓ２００９の所定値以上）、ＡＧＣ回路３５の基本レベル変化量と照度検出手段８０４で得られた照度から、光学ファインダで被写体を観察できる明るさかどうかを判定する（Ｓ２０１３）。
光学ファインダで確認できる明るさである場合（Ｓ２０１３のＹＥＳ）には、ＡＧＣ回路３５の増幅レベルを通常のレベルに変更し（Ｓ２０１４）、ライブビュー撮影モード切り換えＳＷを確認する（Ｓ２０１６）。
以降の動作に関しては、実施例１で説明した図３のＳ１０１１〜Ｓ１０１６と同じであるので省略する。
光学ファインダで被写体を観察できる明るさでない場合（Ｓ２０１３のＮＯ）、ＡＧＣの増幅レベルを所定値ＵＰさせたままライブビューを続けるナイトビュー撮影モードへ移行する（Ｓ２０１５）。
【００２６】
以上の本実施例の構成によれば、撮像素子３３からの映像信号のレベルを増幅して調整するＡＧＣ回路３５の、増幅する基本レベルを所定値に上げることにより、キャップが付いている場合と、キャップが付いていないが被写体が暗い場合との区別が可能となる。
例えば、キャップが付いている場合は被写体からの光量がほぼ０であり、撮像素子３３からＡＧＣ回路へ入力される映像信号の出力が小さいため、増幅レベルを上げても照度の変化量は小さい。
これに対して、キャップがついていないが被写体が暗いために、図４のＳ２００７の照度の閾値よりも低い場合は、増幅レベルを上げた時の照度の変化量は、キャップが付いていて被写体からの光量がほぼ０である時よりも大きくなる。
この変化量の違いにより、キャップが付いているのか周りが暗いのかを判定することが可能となる。
ここで言うＡＧＣの増幅レベルを上げる所定値は、断続的に変化させても良く、あるいはマイクロコンピュータ１００で演算して求めてもよい。
さらに、レンズキャップがついていないが被写体が暗く、光学ファインダで確認することが困難な照度の場合は、ＡＧＣ回路３５の基本レベルを上げたままライブビューを続ける。
これにより、被写体の明るさに応じた最適なファインダを自動的に選択することができる。
また、図４のＳ２０１３で光学ファインダで確認できる明るさではない場合、もしくは、Ｓ２０２０のライブビュー終了時に、カメラ内部の表示器（不図示）に表示を切り換える方式にすることで、同等の効果が実現可能となる。
【符号の説明】
【００２７】
８：メイン操作ダイヤル
１０：動作モード設定ボタン
１４：撮影モード設定ダイヤル
１８：光学ファインダ
１９：背面液晶モニタ
２０：サブ操作ダイヤル
３２：シャッタ
３３：撮像素子
４３：メインスイッチ
２００：撮影レンズ
８０１：レンズキャップ
８０６：キャップ検知モード切り換えＳＷ
８０７：ライブビュー撮影モード切り換えＳＷ
【図１】
2011129986.tif 000003
【図２】
2011129986.tif 000004
【図３】
2011129986.tif 000005
【図４】
2011129986.tif 000006